(57)【要約】      （修正有）【課題】ワイヤレス通信のための方法、装置及びコンピュータ可読媒体を提供する。【解決手段】１つの装置が、１つ以上のＵＥから１つ以上のＳＡを受信する。装置は、各ＳＡに関連するエネルギーを決定し、受信した各ＳＡに関連する決定されたエネルギーに基づいて、データ送信時間周波数リソースをランク付けする。各ＳＡは、データ送信時間周波数リソースの異なるサブセットに関連する。装置は、ランク付けされたデータ送信時間周波数リソースに基づくデータ送信時間周波数リソースのセットを選択し、データ送信時間周波数リソースのセット上でデータを送信する。別の装置が、時間周波数リソースを異なるリソースグループに区分し、ロケーションに基づいてＵＥをＵＥグループに分割し、ＵＥグループをリソースグループにマッピングする。【選択図】図８
2020162129.tif 000002
【特許請求の範囲】
【請求項１】
ユーザ機器（ＵＥ）におけるワイヤレス通信の方法であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを備える、方法。
【請求項２】
前記データ送信時間周波数リソースに関連するサブフレームのセットが、前記各受信された少なくとも１つのＳＡに関連する前記決定されたエネルギーに基づいてランク付けされる、請求項１に記載の方法。
【請求項３】
前記データ送信時間周波数リソースを前記ランク付けすることが、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとを備える、請求項２に記載の方法。
【請求項４】
データ送信時間周波数リソースの前記セットを前記選択することが、
最も小さい最低平均エネルギーをもつサブフレームの前記セットのｎ個のサブフレームを決定することと、
前記決定されたｎ個のサブフレームからｋ個のサブフレームを選択することとを備える、請求項３に記載の方法。
【請求項５】
前記ｋ個のサブフレームが、前記決定されたｎ個のサブフレームからランダムに選択される、請求項４に記載の方法。
【請求項６】
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、請求項４に記載の方法。
【請求項７】
前記データ送信時間周波数リソースが、時間によって、複数の異なる時間周波数リソースグループに区分される、請求項１に記載の方法。
【請求項８】
前記異なる時間周波数リソースグループの前記ＵＥに割り当てられた時間周波数リソースのグループを示す情報を受信することをさらに備える、請求項７に記載の方法。
【請求項９】
前記ランク付けすることと前記選択することとに関連するデータ送信時間周波数リソースの前記セットが、時間周波数リソースの前記割り当てられたグループ内にある、請求項８に記載の方法。
【請求項１０】
前記エネルギーを前記決定することと、前記データ送信時間周波数リソースを前記ランク付けすることと、前記ランク付けされたデータ送信時間周波数リソースに基づいて前記選択することとは、前記ＵＥが送るべき周期メッセージを有するときに行われ、ここにおいて、前記ＵＥは、前記ＵＥが送るべき周期メッセージを有しないとき、前記データ送信時間周波数リソースをランダムに選択する、請求項１に記載の方法。
【請求項１１】
ワイヤレス通信の方法であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを備える、方法。
【請求項１２】
前記車両ＵＥグループを前記マッピングすることが、静的に決定される、請求項１１に記載の方法。
【請求項１３】
前記車両ＵＥグループを前記マッピングすることが、ネットワークによって動的に構成された、請求項１１に記載の方法。
【請求項１４】
近位車両ＵＥが同じグループのために選択される、請求項１１に記載の方法。
【請求項１５】
近位車両ＵＥが、リッスンビフォアスケジュール（ＬＢＳ）を使用して同じリソースグループのためのリソースを選択する、請求項１１に記載の方法。
【請求項１６】
ワイヤレス通信のための装置であって、
少なくとも１つのＵＥから少なくとも１つのスケジューリング割当て（ＳＡ）を受信するための手段と、
各受信された少なくとも１つのＳＡに関連するエネルギーを決定するための手段と、
前記各受信された少なくとも１つのＳＡに関連する前記決定されたエネルギーに基づいて、データ送信時間周波数リソースをランク付けするための手段と、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択するための手段と、
データ送信時間周波数リソースの前記選択されたセット上でデータ送信を送るための手段とを備える、装置。
【請求項１７】
前記データ送信時間周波数リソースに関連するサブフレームのセットが、前記各受信された少なくとも１つのＳＡに関連する前記決定されたエネルギーに基づいてランク付けされる、請求項１６に記載の装置。
【請求項１８】
前記データ送信時間周波数リソースをランク付けするための前記手段が、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとを行うように構成された、請求項１７に記載の装置。
【請求項１９】
データ送信時間周波数リソースの前記セットを選択するための前記手段が、
最も小さい最低平均エネルギーをもつサブフレームの前記セットのｎ個のサブフレームを決定することと、
前記決定されたｎ個のサブフレームからｋ個のサブフレームを選択することとを行うように構成された、請求項１８に記載の装置。
【請求項２０】
前記ｋ個のサブフレームが、前記決定されたｎ個のサブフレームからランダムに選択される、請求項１９に記載の装置。
【請求項２１】
データ送信時間周波数リソースの前記セットを選択するための前記手段が、ｘ個の連続するＲＢの前記異なるサブセットについての前記決定された平均エネルギーに基づいて、前記ｎ個のサブフレームにおけるサブフレームに重みを割り当てるように構成され、ここにおいて、前記ｋ個のサブフレームが、前記ｎ個のサブフレームの各サブフレームに割り当てられた前記重みに関連する確率に基づいて選択される、請求項１９に記載の装置。
【請求項２２】
前記データ送信時間周波数リソースが、時間によって、複数の異なる時間周波数リソースグループに区分される、請求項１６に記載の装置。
【請求項２３】
前記異なる時間周波数リソースグループの前記ＵＥに割り当てられた時間周波数リソースのグループを示す情報を受信するための手段をさらに備える、請求項２３に記載の装置。
【請求項２４】
前記ランク付けすることと前記選択することとに関連するデータ送信時間周波数リソースの前記セットが、時間周波数リソースの前記割り当てられたグループ内にある、請求項２３に記載の装置。
【請求項２５】
前記エネルギーを決定するための前記手段と、前記データ送信時間周波数リソースをランク付けするための前記手段と、前記ランク付けされたデータ送信時間周波数リソースに基づいて選択するための前記手段とは、前記ＵＥが送るべき周期メッセージを有するときに機能し、ここにおいて、前記ＵＥは、前記ＵＥが送るべき周期メッセージを有しないとき、前記データ送信時間周波数リソースをランダムに選択する、請求項１６に記載の装置。
【請求項２６】
ワイヤレス通信のための装置であって、
時間周波数リソースを異なるリソースグループに区分するための手段と、前記リソースグループが前記時間領域において区分される、
車両ＵＥロケーションに基づいて、車両ＵＥを車両ＵＥグループに分割するための手段と、
前記車両ＵＥグループを前記リソースグループにマッピングするための手段とを備える、装置。
【請求項２７】
前記車両ＵＥグループをマッピングするための前記手段が、マッピングを静的に決定するように構成された、請求項２６に記載の装置。
【請求項２８】
前記車両ＵＥグループをマッピングするための前記手段が、動的にマッピングするように構成された、請求項２６に記載の装置。
【請求項２９】
近位車両ＵＥが同じグループのために選択される、請求項２６に記載の装置。
【請求項３０】
近位車両ＵＥが、リッスンビフォアスケジュール（ＬＢＳ）を使用して同じリソースグループのためのリソースを選択する、請求項２６に記載の装置。
【請求項３１】
ワイヤレス通信のための装置であって、
メモリと、
前記メモリに結合された少なくとも１つのプロセッサとを備え、前記少なくとも１つのプロセッサは、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを行うように構成された、装置。
【請求項３２】
前記データ送信時間周波数リソースに関連するサブフレームのセットが、前記各受信された少なくとも１つのＳＡに関連する前記決定されたエネルギーに基づいてランク付けされる、請求項３１に記載の装置。
【請求項３３】
前記少なくとも１つのプロセッサが、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとによって、前記データ送信時間周波数リソースをランク付けするように構成された、請求項３２に記載の装置。
【請求項３４】
前記少なくとも１つのプロセッサが、
最も小さい最低平均エネルギーをもつサブフレームの前記セットのｎ個のサブフレームを決定することと、
前記決定されたｎ個のサブフレームからｋ個のサブフレームを選択することとによって、データ送信時間周波数リソースの前記セットを選択するように構成された、請求項３３に記載の装置。
【請求項３５】
前記ｋ個のサブフレームが、前記決定されたｎ個のサブフレームからランダムに選択される、請求項３４に記載の装置。
【請求項３６】
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、請求項３４に記載の装置。
【請求項３７】
前記データ送信時間周波数リソースが、時間によって、複数の異なる時間周波数リソースグループに区分される、請求項３１に記載の装置。
【請求項３８】
前記少なくとも１つのプロセッサが、前記異なる時間周波数リソースグループの前記ＵＥに割り当てられた時間周波数リソースのグループを示す情報を受信するようにさらに構成された、請求項３７に記載の装置。
【請求項３９】
前記ランク付けすることと前記選択することとに関連するデータ送信時間周波数リソースの前記セットが、時間周波数リソースの前記割り当てられたグループ内にある、請求項３８に記載の装置。
【請求項４０】
前記少なくとも１つのプロセッサは、前記ＵＥが送るべき周期メッセージを有するとき、前記エネルギーを決定することと、前記データ送信時間周波数リソースをランク付けすることと、前記ランク付けされたデータ送信時間周波数リソースに基づいて選択することとを行うように構成され、ここにおいて、前記少なくとも１つのプロセッサは、前記装置が送るべき周期メッセージを有しないとき、前記データ送信時間周波数リソースをランダムに選択する、請求項３１に記載の装置。
【請求項４１】
ワイヤレス通信の装置であって、
メモリと、
前記メモリに結合された少なくとも１つのプロセッサとを備え、前記少なくとも１つのプロセッサは、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うように構成された、装置。
【請求項４２】
前記少なくとも１つのプロセッサが、静的に、前記車両ＵＥグループを前記マッピングすることを決定する、請求項４１に記載の装置。
【請求項４３】
前記少なくとも１つのプロセッサが、動的に、前記車両ＵＥグループを前記マッピングすることを決定する、請求項４１に記載の装置。
【請求項４４】
前記少なくとも１つのプロセッサが、同じグループのために近位車両ＵＥを選択する、請求項４１に記載の装置。
【請求項４５】
前記少なくとも１つのプロセッサが、リッスンビフォアスケジュール（ＬＢＳ）を使用して同じリソースグループのための近位車両ＵＥリソースを選択する、請求項４１に記載の装置。
【請求項４６】
コンピュータ実行可能コードを記憶するコンピュータ可読媒体であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを行うためのコードを備える、コンピュータ可読媒体。
【請求項４７】
コンピュータ実行可能コードを記憶するコンピュータ可読媒体であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うためのコードを備える、コンピュータ可読媒体。
【発明の詳細な説明】
【技術分野】
【０００１】
関連出願の相互参照
[0001]本出願は、その全体が参照により本明細書に明確に組み込まれる、２０１５年９月２３日に出願された「Location and Listen-Before-Schedule Based Resource Allocation for Vehicle-to-Vehicle Communication」と題する米国仮出願第６２／２２２，６６６号、および２０１６年７月２６日に出願された「LOCATION AND LISTEN-BEFORE-SCHEDULE BASED RESOURCE ALLOCATION FOR VEHICLE-TO-VEHICLE COMMUNICATION」と題する米国特許出願第１５／２１９，８５６号の利益を主張する。
【０００２】
[0002]本開示は、一般に通信システムに関し、より詳細には、車両間（Ｖ２Ｖ：vehicle-to-vehicle）通信のためのリソース割振りに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【０００５】
[0005]現在の通信システムを使用するＶ２Ｖ通信についてのシミュレーション結果は、現在のリソース選択方法が良好な性能をもたらさないことがある（may not）ことを示唆する。したがって、新しいリソース割振り機構が、Ｖ２Ｖ通信のための性能を改善し得る。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]上記で説明されたように、現在の通信システムを使用するＶ２Ｖ通信についてのシミュレーション結果は、現在のリソース選択方法が良好な性能をもたらさないことがあることを示唆する。スケジューリング割当て（ＳＡ：Scheduling Assignment）パターンと送信の時間領域リソースパターン（Ｔ−ＲＰＴ：time domain resource pattern of transmission）パターンとの両方をランダムに選択する、現在のリソース選択方法は良好な性能をもたらさない。本明細書で説明されるいくつかの例は、いくつかの場合において性能を改善し得る、新しいリソース割振り機構を与える。
【０００８】
[0008]本開示の一態様では、方法、コンピュータ可読媒体、および装置が提供される。本装置は、少なくとも１つのＵＥから少なくとも１つのスケジューリング割当て（ＳＡ）を受信するように構成される。本装置は、各受信された少なくとも１つのＳＡに関連するエネルギーを決定するようにさらに構成される。本装置は、前記各受信された少なくとも１つのＳＡに関連する決定されたエネルギーに基づいて、データ送信時間周波数リソースをランク付けするように構成される。各受信された少なくとも１つのＳＡは、データ送信時間周波数リソースの異なるサブセットに関連する。本装置は、ランク付けされたデータ送信時間周波数リソースに基づいて、データ送信時間周波数リソースのセットを選択するようにさらに構成される。本装置は、データ送信時間周波数リソースの選択されたセット上でデータ送信を送るようにさらに構成される。
【０００９】
[0009]本開示の一態様では、別の方法、別のコンピュータ可読媒体、および別の装置が提供される。本装置は、時間周波数リソースを異なるリソースグループに区分する（partition）ように構成される。リソースグループは時間領域において区分される。本装置は、車両ＵＥロケーションに基づいて、車両ＵＥを車両ＵＥグループに分割し、車両ＵＥグループをリソースグループにマッピングするように構成される。
【００１０】
[0010]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１１】
【図１】[0011]ワイヤレス通信システムおよびアクセスネットワークの一例を示す図。
【図２Ａ】[0012]ダウンリンク（ＤＬ）フレーム構造のＬＴＥ例を示す図。
【図２Ｂ】ＤＬフレーム構造内のＤＬチャネルのＬＴＥ例を示す図。
【図２Ｃ】アップリンク（ＵＬ）フレーム構造のＬＴＥ例を示す図。
【図２Ｄ】ＵＬフレーム構造内のＵＬチャネルのＬＴＥ例を示す図。
【図３】[0013]アクセスネットワーク中の発展型ノードＢ（ｅＮＢ）およびユーザ機器（ＵＥ）の一例を示す図。
【図４】[0014]デバイス間通信システムの図。
【図５】[0015]例示的な時間周波数リソースを示す図。
【図６】[0016]本明細書で説明されるシステムおよび方法による、例示的な時間周波数リソースを示す図。
【図７】[0017]本明細書で説明されるシステムおよび方法による、ロケーショングループ化（location groupings）の一例を示す図。
【図８】[0018]本明細書で説明されるシステムおよび方法による、ワイヤレス通信の方法のフローチャート。
【図９】[0019]本明細書で説明されるシステムおよび方法による、ワイヤレス通信の方法のフローチャート。
【図１０】[0020]例示的な装置中の異なる手段／構成要素間のデータフローを示す別の概念データフロー図。
【図１１】[0021]処理システムを採用する装置のためのハードウェア実装形態の一例を示す別の図。
【図１２】[0022]例示的な装置中の異なる手段／構成要素間のデータフローを示す概念データフロー図。
【図１３】[0023]処理システムを採用する装置のためのハードウェア実装形態の一例を示す図。
【発明を実施するための形態】
【００１２】
[0024]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００１３】
[0025]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１４】
[0026]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１５】
[0027]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１６】
[0028]図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００１７】
[0029]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００１８】
[0030]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）ＵＬ送信、および／または基地局１０２からＵＥ１０４への（順方向リンクとも呼ばれる）ＤＬ送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｚ  ＭＨｚ（ｚ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００１９】
[0031]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／Ｗｉ−Ｆｉ  ＡＰ１５０は、チャネルが利用可能であるかどうかを決定するために、通信するより前にクリアチャネルアセスメント（ＣＣＡ）を実行し得る。
【００２０】
[0032]スモールセル１０２’は、認可および／または無認可周波数スペクトル中で動作し得る。無認可周波数スペクトル中で動作するとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトルにおけるＬＴＥは、ＬＴＥ無認可（ＬＴＥ−Ｕ：LTE-unlicensed）、認可支援アクセス（ＬＡＡ）、またはＭｕＬＴＥｆｉｒｅと呼ばれることがある。
【００２１】
[0033]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ）ゲートウェイ１７２とを含み得る。ＭＭＥ１６２はホーム加入者サーバ（ＨＳＳ）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００２２】
[0034]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
[0035]再び図１を参照すると、いくつかの態様では、ＵＥ１０４は、ランク付けすることに基づいてデータ送信リソースを選択する（１９８）ように構成され得る。たとえば、ＵＥ１０４は、各受信された少なくとも１つのＳＡに関連するエネルギーを決定し得る。ＵＥ１０４はまた、前記各受信された少なくとも１つのＳＡに関連する決定されたエネルギーに基づいて、データ送信時間周波数リソースをランク付けするように構成される。各受信された少なくとも１つのＳＡは、データ送信時間周波数リソースの異なるサブセットに関連する。ＵＥ１０４は、ランク付けされたデータ送信時間周波数リソースに基づいて、データ送信時間周波数リソースのセットを選択し、データ送信時間周波数リソースの選択されたセット上でデータ送信を送るようにさらに構成される。
【００２４】
[0036]いくつかの他の態様では、ｅＮＢ１０２は、ＵＥグループをリソースグループにマッピングする（１９９）ように構成され得る。たとえば、ｅＮＢ１０２は、時間周波数リソースを異なるリソースグループに区分し得る。リソースグループは時間領域において区分され得る。ｅＮＢ１０２は、車両ロケーションに基づいて、（車両中にあり得る）ＵＥ１０４を車両ＵＥグループに分割し得る。ｅＮＢ１０２は、車両ＵＥグループをリソースグループにマッピングし得る。
【００２５】
[0037]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６個の連続するシンボルを含んでいる。各ＲＥによって搬送されるビット数は変調方式に依存する。
【００２６】
[0038]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ：physical uplink shared channel）に基づいて、ＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数と、ＰＨＩＣＨ構成と、システムフレーム番号（ＳＦＮ）とを与える。物理ダウンリンク共有チャネル（ＰＤＳＣＨ：physical downlink shared channel）は、ユーザデータと、システム情報ブロック（ＳＩＢ：system information block）などのＰＢＣＨを通して送信されないブロードキャストシステム情報と、ページングメッセージとを搬送する。
【００２７】
[0039]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）は、ＵＬシステム帯域幅のエッジ上に位置し得る。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなど、アップリンク制御情報（ＵＣＩ）を搬送する。ＰＵＳＣＨは、データを搬送し、バッファステータス報告（ＢＳＲ）、パワーヘッドルーム報告（ＰＨＲ）、および／またはＵＣＩを搬送するためにさらに使用され得る。
【００２８】
[0040]図３は、アクセスネットワーク中でＵＥ３５０と通信しているｅＮＢ３１０のブロック図である。ＤＬでは、ＥＰＣ１６０からのＩＰパケットはコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００２９】
[0041]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、Ｍ値直交振幅変調（Ｍ−ＱＡＭ：M-quadrature amplitude modulation））に基づく信号コンスタレーションへのマッピングを扱う。コーディングされ、変調されたシンボルは、次いで並列ストリームにスプリットされ得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３０】
[0042]ＵＥ３５０において、各受信機３５４ＲＸは、それのそれぞれのアンテナ３５２を通して信号を受信する。各受信機３５４ＲＸは、ＲＦキャリア上に変調された情報を復元し、受信機（ＲＸ）プロセッサ３５６に情報を与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００３１】
[0043]コントローラ／プロセッサ３５９は、プログラムコードとデータとを記憶するメモリ３６０に関連し得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００３２】
[0044]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３３】
[0045]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３４】
[0046]ＵＬ送信は、ＵＥ３５０における受信機機能に関して説明された様式と同様の様式でｅＮＢ３１０において処理される。各受信機３１８ＲＸは、そのそれぞれのアンテナ３２０を通して信号を受信する。各受信機３１８ＲＸは、ＲＦキャリア上に変調された情報を復元し、その情報をＲＸプロセッサ３７０に与える。
【００３５】
[0047]コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３６】
[0048]図４は車両間（Ｖ２Ｖ）通信システム４６０の図である。Ｖ２Ｖ通信システム４６０は、（車両中に設置された（installed））複数のＵＥ４６４、４６６、４６８、４７０を含む。Ｖ２Ｖ通信システム４６０は、たとえば、ＷＷＡＮなどのセルラー通信システムと重複し得る。ＵＥ４６４、４６６、４６８、４７０の一部は、ＤＬ／ＵＬ  ＷＷＡＮスペクトルを使用してＶ２Ｖ通信において互いに通信し、一部は基地局４６２と通信し得、一部は両方を行い得る。たとえば、図４に示されているように、ＵＥ４６８、４７０はＶ２Ｖ通信しており、ＵＥ４６４、４６６はＶ２Ｖ通信している。ＵＥ４６４、４６６は基地局４６２とも通信している。Ｖ２Ｖ通信は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）など、１つまたは複数のサイドリンクチャネルを通したものであり得る。
【００３７】
[0049]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスＶ２Ｖ通信システムのいずれにも適用可能である。説明を簡略化するために、例示的な方法および装置がＬＴＥのコンテキスト内で説明される。ただし、例示的な方法および装置は、様々な他のワイヤレスデバイス間通信システムにより一般的に適用可能であることを当業者は理解されよう。
【００３８】
[0050]図５は、時間周波数リソースの一例を示す図５００である。ｘ軸は時間であり得、ｙ軸は周波数であり得る。したがって、図５００は、通信送信のために使用され得る、利用可能な時間および利用可能な周波数、すなわち、時間周波数リソースの一例を示す。時間周波数リソースの例は、認可帯域中の既存のＬＴＥダイレクト（ＬＴＥ−Ｄ：LTE direct）時間周波数リソースを示し得る。ＬＴＥ−Ｄデバイス間（Ｄ２Ｄ）通信は、ＬＴＥ規格のリリース１２において規格化された。ＬＴＥ規格のリリース１２において規格化された構成要素の１つは、認可帯域中のＤ２Ｄ通信であった。（Ｄ２Ｄ通信におけるデバイスが車両中に設置されたとき、通信はＶ２Ｖ通信と呼ばれることがある。）
[0051]ＬＴＥリリース１２の下で、ＬＴＥ−Ｄは、ＳＡ送信５０２、５０４とデータ送信５０６、５０８とを含み得る。いくつかの例では、ＳＡ送信５０２、５０４は、制御情報の送信のために使用され得る。データ送信５０６、５０８は、たとえば、ユーザデータまたは他のデータを送信するために使用され得る。ＳＡ送信５０２、５０４およびデータ送信５０６、５０８は、たとえば、直接、デバイスからデバイスに送信され得る。
【００３９】
[0052]例示的なネットワークは、各チャネルについて別個のリソースを予約し得る。これらのチャネルは、周期的に発生し得る、予約されたネットワークリソースのプールであり得る。たとえば、これらのネットワークリソースは時間周波数リソースであり得る。これらの時間周波数リソースは、図５に示されているように、ＵＥ１およびＵＥ２によって使用される時間周波数リソースのブロック、すなわち、ＵＥ１および／またはＵＥ２による可能な送信のための時間および周波数（時間および周波数「ロケーション」）の組合せを表す、「ＵＥ１」および「ＵＥ２」と標示された矩形（rectangles）など、時間および周波数のブロックにスプリットされ得る。（図５において、すべての可能なブロックがＵＥ１またはＵＥ２に割り当てられるとは限らない。）時間および周波数のブロックはＲＢである。
【００４０】
[0053]データを送信する前に、ＵＥは、それのリソースプールにおいてＳＡ送信５０２、５０４をブロードキャストする必要があり得る。ＳＡ送信５０２、５０４は、送信されているデータについて知る（learn）ために他のＵＥによって使用され得る。ＳＡ送信５０２、５０４は、たとえば、データ送信５０６、５０８のための送信の時間および周波数ロケーション、変調、コーディング方式、および他の送信情報などの情報を含み得る。
【００４１】
[0054]データ送信のために使用されるリソースの時間情報を示すために、ＳＡ送信５０２、５０４は、Ｔ−ＲＰＴ（すなわち、送信の時間領域リソースパターン）と呼ばれるフィールドを含んでいることがある。いくつかの例では、Ｔ−ＲＰＴは、データ送信のために使用されるすべての時間リソースの時間発生を示す、ビットマップにマッピングされ得る数である。Ｔ−ＲＰＴを使用して、受信ＵＥは、関連するデータ送信５０６、５０８のタイミングを知り得る。
【００４２】
[0055]データ送信５０６、５０８のタイミング、たとえば、Ｔ−ＲＰＴは図５に示されている。水平軸は時間ｔである。垂直軸は周波数ｆである。図５では、ＵＥ１およびＵＥ２は、Ｔ−ＲＰＴパターンに従って、ＳＡリソースプールにおいてＳＡ送信５０２、５０４を送信し、次いで、データリソースプールにおいてデータ送信５０６、５０８を送信する。Ｔ−ＲＰＴパターンに従って、ＳＡリソースプールにおいてＳＡ送信５０２、５０４を送信し、データリソースプールにおいてデータ送信５０６、５０８を送信することは、帯域内放射ダイバーシティ、すなわち、同じ周波数帯域中の異なるデバイスからの放射を可能にする。たとえば、異なるデバイスからの放射がＬＴＥ周波数帯域内で送信され得る。
【００４３】
[0056]本明細書で説明されるシステムおよび方法のいくつかの例は、ＬＴＥ規格のリリース１２またはＬＴＥ規格の他のリリースまたはＶ２Ｖ通信を組み込み得る他の通信規格による、Ｖ２ＶのためのＤ２Ｄ通信に関係する資料（material）に基づき得る。いくつかの例は、レガシー設計をＶ２Ｖ適用例上に移植し（port）得る。ＬＴＥ規格のリリース１２は、Ｖ２Ｖのために使用され得るＤ２Ｄ通信を含むが、シミュレーション結果は、ＳＡパターンとＴ−ＲＰＴパターンの両方がランダムに選択される、リリース１２のリソース選択方法が良好な性能を有さないことがあることを示唆する。したがって、本明細書で説明されるいくつかの例は、たとえば、ランダムに選択されるＳＡパターンとＴ−ＲＰＴパターンの両方と比較して、性能を改善し得る、新しいリソース割振り機構を与え得る。
【００４４】
[0057]いくつかの場合には、Ｖ２Ｖ適用例のコンテキストにおいて、車両の高い密度が通信問題を引き起こし得る。たとえば、「ラッシュアワー」中に、数百個または数千個の車両がハイウェイ上に、たとえば、通信システムのための特定のサービスエリア内にあることがある。多数の車両は、限られた量の時間周波数リソースを求めて競合する必要があり得る。高い数の車両（a high number of vehicle）に限られた量の時間周波数リソースを求めて競合させることは、各車両上の通信デバイス間の高干渉を引き起こし得る。したがって、通信システム、または通信システムにおける１つまたは複数の通信デバイスの性能が不十分であり得る。さらに、帯域内放射が近遠効果（near-far effects）をもたらし得る。通信システムに関する問題であり得る、近遠効果は、近くにある車両からの信号が遠くにある車両からの信号を圧倒する（overpower）ときに発生する。これらの問題のうちの１つまたは複数は、本明細書で説明されるように、リッスンビフォアスケジュール（ＬＢＳ）／リッスンビフォアトーク（ＬＢＴ）またはロケーションベースリソース割振りを使用して対処され得る。
【００４５】
[0058]図６は、本明細書で説明されるシステムおよび方法による、時間周波数リソースの一例を示す図６００である。図５と同様に、図６では、ｘ軸は時間であり得、ｙ軸は周波数であり得る。したがって、図６００は、通信送信のために使用され得る、利用可能な時間および利用可能な周波数、すなわち、時間周波数リソースの一例を示す。したがって、図６００はネットワークリソースを示す。ネットワークリソースは時間周波数リソースであり得る。（図６００は、時間がｘ軸上にあり、周波数がｙ軸上にあるグラフを示す。）これらの時間周波数リソースは、図６に示されているように、ＵＥ１およびＵＥ２によって使用される時間周波数リソースのブロックなどの時間および周波数のブロック６０１と、非割当てである時間および周波数のブロック６０１’とにスプリットされ得る。
【００４６】
[0059]いくつかの例では、Ｖ２Ｖ通信のためのリソース割振り機構は、図６に示されている時間周波数リソース、または図６に示されている時間周波数リソースと同様の時間周波数リソースを使用し得る。図６に示されているように、データ送信は２つのＳＡ期間にわたり得、たとえば、ＵＥ１はＳＡ期間６０８、６１０において送信し、ＵＥ２はＳＡ期間６１０、６１２において送信する。
【００４７】
[0060]図６はＬＢＴ／ＬＢＳの一例を示す。ＬＢＴ／ＬＢＳはより良い干渉管理を与え得る。いくつかの例示的なＬＢＴ／ＬＢＳ方式は、他のネイバリングユーザ（すなわち、他のＵＥ）によって占有されたリソースを選定することを回避するために、各ＳＡ期間中にＳＡ送信６０２、６０４、６０６からのＳＡ情報を利用し得る。一例では、ＬＢＴ／ＬＢＳプロトコルは以下のように動作する。（１）レガシー設計では、ＳＡ送信とデータ送信の両方が単一のＳＡ期間内に行われる。ＬＢＴ／ＬＢＳを可能にするために、一例は、データ送信が複数のＳＡ期間６０８、６１０、６１２にわたることを可能にし、ＳＡ送信６０２は依然として第１のＳＡ期間６０８内に行われ得る。
【００４８】
[0061]ワイヤレス通信の例示的な方法では、ＵＥ、たとえば、ＵＥ１は、少なくとも１つのＵＥ（たとえば、ＵＥ２）から少なくとも１つのＳＡ６０４を受信し得る。たとえば、再び図４を参照すると、ＵＥ４６８は、ＵＥ４６８とＵＥ４７０との間の送信の一部としてＳＡを送信し得る。ＳＡはＵＥ４７０によって受信され得る。
【００４９】
[0062]ワイヤレス通信の例示的な方法では、ＵＥ、たとえば、ＵＥ２は、少なくとも１つのＵＥ（たとえば、ＵＥ１）から少なくとも１つのＳＡ６０２を受信し得る。たとえば、再び図４を参照すると、ＵＥ４７０は、ＵＥ４７０とＵＥ４６８との間の送信の一部としてＳＡを送信し得る。ＳＡはＵＥ４６８によって受信され得る。
【００５０】
[0063]ＵＥ（ＵＥ１、ＵＥ２）は、各受信された少なくとも１つのＳＡ６０４、６０２に関連するエネルギーを決定し得る。たとえば、ＵＥ４６８とＵＥ４７０との間の送信は、送信に関連する何らかのエネルギーを有する。（受信機における）エネルギーは、ＵＥ４６８とＵＥ４７０との間の送信の送信されたエネルギー、ＵＥ４６８からＵＥ４７０までの距離、ＵＥ４６８とＵＥ４７０との間の送信の信号の経路を阻止し得る障害物、および受信された信号のエネルギーに影響を及ぼし（impact）得る他のファクタに依存することになる。
【００５１】
[0064]ＵＥ（ＵＥ１、ＵＥ２）は、各受信されたＳＡに関連する決定されたエネルギーに基づいて、データ送信時間周波数リソースをランク付けし得る。たとえば、図６を参照すると、第３のＵＥが、ＵＥ１からのＳＡ送信６０２およびＵＥ２からのＳＡ送信６０４（SA transmissions 602, 604 from UE1 and UE2）を受信した場合、第３のＵＥは、各受信されたＳＡ６０２（ＵＥ１）とＳＡ６０４（ＵＥ２）とに関連するエネルギーを決定し得る。各受信されたＳＡ６０２、６０４に関連するエネルギーが、それぞれ、ＵＥ１およびＵＥ２からのデータ送信から受信され得るエネルギーと同じであるか、同様であるか、または比例し（proportional to）得ると仮定された場合、ＵＥ１およびＵＥ２のためのデータ送信（データ（DATA））は、各受信された少なくとも１つのＳＡ６０２、６０４に関連する決定されたエネルギーに基づいてランク付けされ得る。各受信された少なくとも１つのＳＡ６０２、６０４は、データ送信時間周波数リソースの異なるサブセットに関連する。たとえば、ＳＡ６０２はＵＥ１からの送信を含む。ＳＡ６０４はＵＥ２からの送信を含む。ＵＥ１からの送信を含むＳＡ６０２は、ＵＥ１データ送信（データ（DATA）送信中のブロック「ＵＥ１」）に関連し得る。同様に、ＵＥ２からの送信を含むＳＡ６０４は、ＵＥ２データ送信（データ（DATA）送信中のブロック「ＵＥ２」）に関連し得る。
【００５２】
[0065]ＵＥ（たとえば、ＵＥ３）は、ランク付けされたデータ送信時間周波数リソースに基づいて、データ送信時間周波数リソースのセットを選択し得る。たとえば、ＵＥ３が、（ＵＥ１によって使用される）サブフレーム６１４、６１６におけるリソースを（ＵＥ２によって使用される）サブフレーム６１８、６２０よりも低いエネルギーを有するものとしてランク付けするとき（サブフレーム６１４、６１６、６１８、６２０におけるリソースをランク付けすることは、受信されたＳＡ６０２、６０４に基づく）、ＵＥ３は、サブフレーム６１４、６１６のデータ送信時間周波数リソースのより低いエネルギーランク付けに基づいて、サブフレーム６１４、６１６のデータ送信時間周波数リソースのセットを選択し得る。したがって、データ送信時間周波数リソースに関連するサブフレームのセットは、前記各受信された少なくとも１つのＳＡに関連する決定されたエネルギーに基づいてランク付けされ得る。したがって、ＵＥ３は、サブフレーム６１４、６１６のうちの１つまたは複数（すなわち、データ送信時間周波数リソースの選択されたセット）上でデータ送信を送り得る。たとえば、ＵＥ３は、図６に示されているように、サブフレーム６１４上で送信し得る。
【００５３】
[0066]一例では、データ送信時間周波数リソースをランク付けすることは、データ送信のための連続するＲＢの数ｘを決定することを含む。たとえば、サブフレーム６２２が、ｙ個の連続するＲＢ（ＲＢ１、ＲＢ２、ＲＢ３）を含み得、ここで、ｙ≧ｘである。ＵＥ（たとえば、ＵＥ３）は、たとえば、ＳＡ６０２、６０４に基づいて、ｙ個の連続するＲＢ（ＲＢ１、ＲＢ２、ＲＢ３）内のｘ個の連続するＲＢの異なるサブセット（たとえば、ｘ＝２と仮定すると、ＲＢ１／ＲＢ２、ＲＢ２／ＲＢ３）の各々について平均エネルギーを決定し得る。
【００５４】
[0067]ＵＥ（たとえば、ＵＥ３）は、各サブフレームにおけるｘ個の連続するＲＢのサブセットのうちのｘ個の連続するＲＢのサブセットについて最低平均エネルギーを決定し得る。たとえば、サブフレーム６２２内で、ｘが２に等しく、ｙが３に等しいと仮定すると、最小送信がＲＢ１およびＲＢ２上で行われるとき、ＲＢ３は高い平均エネルギーを有し、ＲＢ１およびＲＢ２は、最低平均エネルギーをもつサブフレーム６２２におけるｘ個の連続するＲＢのサブセット（ＲＢ１／ＲＢ２、ＲＢ２／ＲＢ３）のうちのｘ個の連続するＲＢのサブセットであり得る。
【００５５】
[0068]ＵＥ（たとえば、ＵＥ３）は、サブフレームのセットにおける各サブフレームを、サブフレームの決定された最低平均エネルギーに基づいてランク付けし得る。たとえば、データ送信が、ＵＥ１によって、各ＲＢ  ＲＢ１、ＲＢ２、ＲＢ３のためにスケジュールされ、ＵＥ１が比較的高いエネルギーＳＡ６０２を有する場合、サブフレーム６２２の最低平均エネルギーは比較的高い。サブフレームが「最低平均エネルギー」の昇順でランク付けされた場合、サブフレーム６２２は、低くランク付けされるべきである。
【００５６】
[0069]一例では、データ送信時間周波数リソースのセットを選択することは、最も小さい「最低平均エネルギー」をもつサブフレームのセットのｎ個のサブフレームを決定することと、決定されたｎ個のサブフレームからｋ個のサブフレームを選択することとを含み得る。たとえば、データ送信時間周波数リソースのセットを選択することは、最も小さい「最低平均エネルギー」をもつサブフレーム６２２、６２４、６２６、６２８のセットのｎ個のサブフレーム６２４、６２６、６２８（たとえば、ｎ＝３）を決定することを含み得る。データ送信時間周波数リソースのセットを選択することはまた、決定されたｎ個のサブフレームからｋ個のサブフレーム６２４（たとえば、ｋ＝１）を選択することを含み得る。ｋ個のサブフレームは、決定されたｎ個のサブフレームからランダムに選択される。たとえば、サブフレーム６２４、６２６、および６２８の間の選択はランダム選択であり得る。
【００５７】
[0070]一例では、データ送信時間周波数リソースのセットを選択することは、ｘ個の連続するＲＢの異なるサブセットについての決定された平均エネルギーに基づいて、ｎ個のサブフレーム６２４、６２６、６２８におけるサブフレームに重みを割り当てることを備える。したがって、サブフレーム６２４、６２６は、同じ重みを割り当てられ得、サブフレーム６２８は、ＲＢ４についての平均エネルギーに基づく重みを割り当てられ得る。ｋ個のサブフレームが、ｎ個のサブフレームの各サブフレームに割り当てられた重みに関連する確率に基づいて選択され得る。したがって、各ＲＢが同じ平均エネルギーを有する場合、サブフレーム６２４、６２６、６２８は各々同じ重みを割り当てられ得、確率は等しくなり得る。別の例では、サブフレーム６２８がより低いエネルギーを有する場合、サブフレーム６２８は２の重みを割り当てられ、サブフレーム６２４、６２６は各々１の重みを割り当てられ得る。本例における重みの合計は、２＋１＋１＝４である。したがって、単一のサブフレームが選択される場合、サブフレーム６２８は、選択されることの５０％の確率（たとえば、２／４）を有し得、サブフレーム６２４、６２６の各々は、選択されることの２５％の確率（たとえば、１／４）を有し得る。
【００５８】
[0071]一例では、エネルギーを決定することと、データ送信時間周波数リソースをランク付けすることと、ランク付けされたデータ送信時間周波数リソースに基づいて選択することとは、ＵＥが送るべき周期メッセージを有するときに行われる（occurs）。たとえば、ＵＥ、ＵＥ１、ＵＥ２の様々なデータ送信は周期的であり得る。一例では、本明細書で説明される、エネルギーを決定することと、データ送信時間周波数リソースをランク付けすることと、ランク付けされたデータ送信時間周波数リソースに基づいて選択することとは、ＵＥが送るべき周期メッセージを有するときのためにのみ行われる。一例では、ＵＥ（ＵＥ１、ＵＥ２）は、ＵＥが送るべき周期メッセージを有しないとき、データ送信時間周波数リソース（たとえば、サブフレーム６３０）をランダムに選択する。
【００５９】
[0072]一例では、ユーザ機器、たとえば、ＵＥ１、ＵＥ２は、他のユーザからのＳＡ情報を復号することによって、チャネル使用を監視し得る。たとえば、ＵＥ１はＵＥ２（および他のＵＥ）を監視し得、ＵＥ２はＵＥ１（および他のＵＥ）を監視し得る。いくつかの例では、ＳＡ送信は、データのロケーションを、たとえば、時間および／または周波数において示す。言い換えれば、ＳＡ送信は、データのために使用される時間周波数リソースを示し得る。占有されたデータリソースは、ＵＥのうちの１つまたは複数によってマークされ、すなわち、気づかれる。１つまたは複数のＵＥは、ＳＡ送信６０２上で受信されたエネルギーに基づいて、データロケーションにおける、たとえば、時間周波数リソースにおけるエネルギーを推定し得る。したがって、１つまたは複数のＵＥ（ＵＥ１、ＵＥ２）は、ＳＡ送信６０２、６０４から受信されたエネルギーを測定し、ＳＡ送信６０２上で受信されたエネルギーの測定値を、データロケーションにおける、たとえば、時間周波数リソースにおけるエネルギーの推定値として使用し得る。
【００６０】
[0073]一例では、送信のために、ＵＥは、推定受信エネルギーに基づいてリソースをランク付けする。ＵＥが、サブフレームにおけるｘ個のＲＢ上で送信することを計画している場合、各サブフレームについて、ＵＥは、最低平均推定エネルギーをもつｘ個の連続するリソースを見つけ得る。次いで、ＵＥは、この推定エネルギーに基づいてサブフレームをランク付けし得る。ＵＥが、ｋ個のサブフレーム上で送信する必要がある場合、ＵＥは、最も小さい最低平均推定エネルギーをもつｎ個のサブフレームの中からｋ個のサブフレームをランダムに選択し得る。
【００６１】
[0074]サブフレームをランク付けするための他の基準も使用され得る。たとえば、サブフレームは、ｘ個のＲＢの推定エネルギーから導出された重みを割り当てられ得、それらの、選択の確率はその重みに基づき得る。いくつかの例示的なシステムは、２つの近位ＵＥがまったく同じリソースを選択するケースの可能性を回避するかまたは低くする（lower）ために、最低エネルギーをもつリソースを選定することを回避し得る。
【００６２】
[0075]図６に示されているように、ＵＥ１は、第１のＳＡ期間６０８においてＳＡ送信６０２を送信し、第１のＳＡ期間６０８と第２のＳＡ期間６１０の両方においてデータを送信する。ＵＥ２は、第２のＳＡ期間６１０において送信を開始する。ＵＥ２が、ＵＥ１からのＳＡを復号することができる場合、ＵＥ２は、ＵＥ１によって占有された、第２のＳＡ期間６１０における第２のサブフレーム６１４と第３のサブフレーム６１６とを選定すること（choosing）を回避するべきである。したがって、図６の図示の例では、ＵＥ２は、第２のＳＡ期間６１０において、第１のサブフレーム６１８と第４のサブフレーム６２０とを選択する。さらに、リソースが、第３のＳＡ期間６１２において占有されていないので、第３のＳＡ期間６１２における任意のリソースが利用可能であり、対応するデータプールからＵＥ２によってランダムに選択され得る。上記で説明されたように、図６に関して説明されたＬＢＴ／ＬＢＳ設計がＵＥ間の干渉を低減し得る。
【００６３】
[0076]いくつかの例では、ロケーションベースリソース割振り方式は、以下のうちの１つまたは複数を含み得る。第１に、すべての時間周波数リソースが異なるリソースグループに区分され得る。その区分は、時間領域の様式において行われ得る。第２に、ユーザは、ロケーションに基づいてグループに分割され得る。（たとえば、図７に関して以下で説明されるグループ化はロケーションに基づく。）さらに、ユーザグループからリソースグループにマッピングすることは静的に決定されるか、またはネットワークによって動的に構成され得る。静的マッピングはあらかじめ決定されたマッピングであり得、固定であり得る。動的にマッピングする場合、ネットワークは、ネットワークまたはデバイス状態に基づいてマッピングを変更し得る。
【００６４】
[0077]図７は、本明細書で説明されるシステムおよび方法による、ロケーショングループ化、たとえば、グループ０、グループ１、グループ２、グループ３の一例を示す図７００である。ロケーショングループ化を使用することによって、ロケーションベースリソース割振りが達成され得る。ロケーションに基づいてグループ化を決定するために使用されるロケーション情報は、接続された車においてすぐに（readily）利用可能であり得る、ＧＰＳのようなソースから取得され得る。近位（Proximal）ＵＥは同じグループに属し得る。近位ＵＥは、たとえば、ＬＢＴ／ＬＢＳを使用して、リソースを同じリソースグループから選択し得る。潜在的にＬＢＴ／ＬＢＳを用いた近位ＵＥのグループ化は、グループが、概して同様のエネルギーレベルを用いて送信する、互いに近いＵＥからなる（made up of）ので、近遠効果を低減し得る。したがって、あるＵＥからのあるエネルギーレベルが、概して、別のＵＥからの別のエネルギーレベルを圧倒する可能性が低くなる。
【００６５】
[0078]図７は、たとえば、合計６つのレーン７０４をもつ、例示的なハイウェイ７０２を示す図７００である。（たとえば、車両７１０における）すべてのユーザは、それらのロケーションに従って４つのグループ、たとえば、グループ０、グループ１、グループ２、グループ３に分割され得る。車両、たとえば、車両７１０はＵＥを有し得る。したがって、車両（たとえば、車両７１０）ＵＥは、車両ＵＥグループ、たとえば、グループ０、グループ１、グループ２、グループ３に分割され得る。たとえば、グループ０、グループ１、グループ２、グループ３は各々、車両７１０など、２４個の車両を含み、各車両は１つまたは複数のＵＥを含み得る。（車両グループはより多いまたはより少ない車両を有し得ることを理解されよう。さらに、各車両グループグループ０、グループ１、グループ２、グループ３は２４個の車両を含むが、概して、車両グループは、互いに異なる数の車両を有し得ることを理解されよう。）
[0079]図７に示されているように、時間周波数リソースは、異なるリソースグループ、たとえば、サブフレーム１、２、３、４、５、６、７、８に分割され得る。図７の簡略化された例では、２つのリソースグループのみ、たとえば、偶数および奇数、がある。２つのリソースグループは、それぞれ、偶数サブフレーム（たとえば、サブフレーム７０６）および奇数サブフレーム（たとえば、サブフレーム７０８）を含んでいる。
【００６６】
[0080]時間周波数リソース、たとえば、無線リソースは、時間領域において区分され得る。たとえば、偶数サブフレーム７０６および奇数サブフレーム７０８は、タイムスロットに分離または区分され得る。したがって、リソースグループは、一連の奇数サブフレーム７０８、たとえば、１、３、５、７と、一連の偶数サブフレーム７０６、たとえば、２、４、６、８とからなり、サブフレームは時間領域において順序１、２、３、４、５、６、７、８で発生し得る。
【００６７】
[0081]一例は、車両ＵＥグループ、たとえば、グループ０、グループ１、グループ２、グループ３をリソースグループ、たとえば、偶数サブフレーム７０６および奇数サブフレーム７０８にマッピングし得る。ユーザグループからリソースグループへの１つのマッピングは、偶数サブフレーム７０６、たとえば、２、４、６、８のみを使用することを可能にされるべき偶数グループ（たとえば、グループ０、グループ２）のためのものであり、奇数サブフレーム７０８、たとえば、１、３、５、７のみを使用することを可能にされるべき奇数グループ（たとえば、グループ１、グループ３）のためのものである。ネイバリンググループのために異なるサブフレーム７０６、７０８を常に使用することによって、ネイバリンググループ間の干渉および近遠効果が低減または除去され得る。たとえば、グループ０におけるユーザは、偶数サブフレームを使用し得る。ネイバリンググループ、グループ１におけるユーザからの信号は、概して、サブフレーム１、３、５、７がサブフレーム２、４、６、８とは異なる時間に発生するので、グループ０におけるユーザからの信号に干渉しないだろう。さらに、特定のグループにおけるユーザは、概して、同様の地理的エリアにいるので、グループにおける各ユーザは、いくつかの場合には、同じグループにおける他のユーザからの同様の電力を受信し得る。同様の電力を受信することは、近遠効果を減少させ得る。
【００６８】
[0082]ワイヤレス通信のための例示的な装置は、メモリと、メモリに結合された少なくとも１つのプロセッサとを含む。少なくとも１つのプロセッサは、少なくとも１つのＵＥから少なくとも１つのＳＡを受信するように構成される。少なくとも１つのプロセッサは、各受信された少なくとも１つのＳＡに関連するエネルギーを決定するようにさらに構成される。さらに、少なくとも１つのプロセッサは、前記各受信された少なくとも１つのＳＡに関連する決定されたエネルギーに基づいて、データ送信時間周波数リソースをランク付けするように構成される。各受信された少なくとも１つのＳＡは、データ送信時間周波数リソースの異なるサブセットに関連する。さらに、少なくとも１つのプロセッサは、ランク付けされたデータ送信時間周波数リソースに基づいて、データ送信時間周波数リソースのセットを選択するように構成される。少なくとも１つのプロセッサはまた、データ送信時間周波数リソースの選択されたセット上でデータ送信を送るように構成される。
【００６９】
[0083]一例では、データ送信時間周波数リソースに関連するサブフレームのセットが、前記各受信された少なくとも１つのＳＡに関連する決定されたエネルギーに基づいてランク付けされる。別の例では、データ送信時間周波数リソースをランク付けすることは、データ送信のための連続するリソースブロック（ＲＢ）の数ｘを決定することと、ｘ個の連続するＲＢの異なるサブセットの各々について平均エネルギーを決定することと、各サブフレームにおけるｘ個の連続するＲＢのサブセットのうちのｘ個の連続するＲＢのサブセットについて最低平均エネルギーを決定することと、サブフレームのセットにおける各サブフレームを、サブフレームの決定された最低平均エネルギーに基づいてランク付けすることとを含む。
【００７０】
[0084]一例では、データ送信時間周波数リソースのセットを選択することは、最も小さい最低平均エネルギーをもつサブフレームのセットのｎ個のサブフレームを決定することと、決定されたｎ個のサブフレームからｋ個のサブフレームを選択することとを含む。別の例では、ｋ個のサブフレームは、決定されたｎ個のサブフレームからランダムに選択される。
【００７１】
[0085]一例では、データ送信時間周波数リソースのセットを選択することは、ｘ個の連続するＲＢの異なるサブセットについての決定された平均エネルギーに基づいて、ｎ個のサブフレームにおけるサブフレームに重みを割り当てることを含む。ｋ個のサブフレームは、ｎ個のサブフレームの各サブフレームに割り当てられた重みに関連する確率に基づいて選択される。
【００７２】
[0086]一例では、データ送信時間周波数リソースは、時間によって、複数の異なる時間周波数リソースグループに区分される。
【００７３】
[0087]一例では、少なくとも１つのプロセッサは、異なる時間周波数リソースグループのＵＥに割り当てられた時間周波数リソースのグループを示す情報を受信するように構成される。
【００７４】
[0088]一例では、ランク付けすることと選択することとに関連するデータ送信時間周波数リソースのセットは、時間周波数リソースの割り当てられたグループ内にある。
【００７５】
[0089]別の例では、エネルギーを決定することと、データ送信時間周波数リソースをランク付けすることと、ランク付けされたデータ送信時間周波数リソースに基づいて選択することとは、ＵＥが送るべき周期メッセージを有するときに行われる。ＵＥは、ＵＥが送るべき周期メッセージを有しないとき、データ送信時間周波数リソースをランダムに選択し得る。
【００７６】
[0090]一例では、ワイヤレス通信のための装置（１０２、３１０、４６２）はメモリ（３７６）を含む。装置（１０２、１０２’、３１０、４６２）は、メモリ（３７６）に結合された少なくとも１つのプロセッサ（３１６、３７０、３７５）を含む。少なくとも１つのプロセッサ（３１６、３７０、３７５）は、時間周波数リソース（たとえば、図６に示されている時間周波数リソース）を異なるリソースグループ（たとえば、図７の偶数サブフレーム７０６および奇数サブフレーム７０８）に区分するように構成される。リソースグループは時間領域において区分される（たとえば、時間軸、すなわち、図６のｘ軸に沿って区分される）。少なくとも１つのプロセッサ（３１６、３７０、３７５）は、車両ロケーションに基づいて、車両ＵＥ（１０４、３５０、４６４、４６６、４６８、４７０）を車両ＵＥグループ（たとえば、図７のグループ０、グループ１、グループ２、グループ３）に分割するように構成される。少なくとも１つのプロセッサ（３１６、３７０、３７５）は、ＵＥグループ（グループ０、グループ１、グループ２、グループ３）をリソースグループ（たとえば、７０６、７０８）にマッピングするように構成される。たとえば、グループ０およびグループ２は偶数サブフレーム８０６にマッピングされ得、グループ１およびグループ３は奇数サブフレーム７０８にマッピングされ得る。（他のマッピングも可能である。）
[0091]一例では、車両ＵＥグループをマッピングすることは、静的に決定される。別の例では、車両ＵＥグループをマッピングすることは、ネットワークによって動的に構成される。一例では、近位車両ＵＥ（たとえば、図７のグループ０などのグループ内の車両ＵＥが近位にある）が、同じグループ（たとえば、グループ０）のために選択される。一例では、近位車両ＵＥは、リッスンビフォアスケジュール（ＬＢＳ）を使用して同じリソースグループのためのリソースを選択し得る。
【００７７】
[0092]図８は、本明細書で説明されるシステムおよび方法による、ワイヤレス通信の方法のフローチャート８００である。方法は、ＵＥ（たとえば、図１のＵＥ１０４、図３のＵＥ３５０、および図４のＵＥ４６４、４６６、４６８、４７０）によって実行され得る。ＵＥ１０４、３５０、４６４、４６６、４６８、４７０は、Ｖ２Ｖ通信のために車両中に設置され得る。ブロック８０２において、ＵＥ１０４、３５０、４６４、４６６、４６８、４７０は、少なくとも１つのＵＥから少なくとも１つのＳＡを受信する。たとえば、図６に示されているように、ＵＥ１は、第１のＳＡ期間においてＳＡ送信６０２を送信する。同様に、ＵＥ２は、第２のＳＡ期間においてＳＡ送信６０４を送信する。
【００７８】
[0093]ブロック８０４において、各受信された少なくとも１つのＳＡに関連するエネルギーを決定するＵＥ１０４、３５０、４６４、４６６、４６８、４７０。たとえば、ＵＥ１（図６）は、ＵＥ２（図６）からのＳＡ送信についてチャネルを監視し得る。逆に、ＵＥ２は、ＵＥ１からのＳＡ送信についてチャネルを監視し得る。一例では、ＵＥ、ＵＥ３は、各受信された少なくとも１つのＳＡ６０２、６０４に関連するエネルギーを決定し得る。
【００７９】
[0094]ブロック８０６において、ＵＥ１０４、３５０、４６４、４６６、４６８、４７０は、前記各受信された少なくとも１つのＳＡに関連する決定されたエネルギーに基づいて、データ送信時間周波数リソースをランク付けする。たとえば、ＵＥが、各サブフレームについて、サブフレーム上のある数の（a number of）ＲＢ、たとえば、ｘ個のＲＢ上で送信することを計画している場合、ＵＥは、前記各受信された少なくとも１つのＳＡ６０２、６０４に関連する決定されたエネルギーに基づいて、データ送信時間周波数リソースをランク付けする。ＵＥは、最低平均ｘ個ＲＢ推定エネルギーをもつｘ個の連続するリソースを見つけ得る。次いで、ＵＥは、この推定エネルギーに基づいてサブフレームをランク付けするだろう。
【００８０】
[0095]ブロック８０８において、ＵＥ１０４、３５０、４６４、４６６、４６８、４７０は、ランク付けされたデータ送信時間周波数リソースに基づいて、データ送信時間周波数リソースのセットを選択する。たとえば、ＵＥは、ランク付けされたデータ送信時間周波数リソースに基づいて、データ送信時間周波数リソースのセット（たとえば、サブフレーム６２４、６２６）を選択し得る。
【００８１】
[0096]ブロック８１０において、ＵＥ１０４、３５０、４６４、４６６、４６８、４７０は、データ送信時間周波数リソースの選択されたセット上でデータ送信を送る。たとえば、ＵＥ１０４、３５０、４６４、４６６、４６８、４７０は、データ送信時間周波数リソースの選択されたセット、たとえば、サブフレーム６２４、６２６上でデータ送信（データ（DATA））を送り得る。
【００８２】
[0097]ブロック８１２において、ＵＥ１０４、３５０、４６４、４６６、４６８、４７０は、異なる時間周波数リソースグループのＵＥに割り当てられた時間周波数リソースのグループを示す情報を受信し得る。
【００８３】
[0098]図９は、本明細書で説明されるシステムおよび方法による、ワイヤレス通信の方法のフローチャート９００である。ブロック９０２において、ｅＮＢ１０２、３１０、４６２は、時間周波数リソースを異なるリソースグループに区分し得る。たとえば、ｅＮＢ１０２、３１０、４６２は、時間周波数リソース（８０６、８０８）を異なるリソースグループに区分し得る。リソースグループ（８０６、８０８）は時間領域において区分され得る。たとえば、（たとえば、車両８１０における）近位ＵＥは、ＬＢＳを使用して同じリソースグループのためのリソースを選択し得る。
【００８４】
[0099]ブロック９０４において、ｅＮＢ１０２、３１０、４６２は、ロケーションに基づいて、車両ＵＥ１０４、３５０、４６４、４６６、４６８、４７０を車両ＵＥグループに分割し得る。（ＵＥ１０４、３５０、４６４、４６６、４６８、４７０は車両中に設置され得る）たとえば、ｅＮＢ１０２、３１０、４６２は、ロケーション（たとえば、ハイウェイ８０２に沿ったロケーション）に基づいて、（たとえば、車両８１０における）ＵＥ１０４、３５０、４６４、４６６、４６８、４７０を車両ＵＥグループ（グループ０、グループ１、グループ２、グループ３）に分割し得る。近位車両ＵＥは同じグループのために選択され得る。たとえば、ワイヤレス通信の方法を実装するデバイスは、車両ＵＥのグループのロケーションデータを受信し得る。ロケーションデータを使用して、互いの近くに位置する車両ＵＥは一緒にグループ化され得る。したがって、ロケーションデータを使用して、本方法を実装するデバイスは、ロケーションに基づいて、互いに近い車両ＵＥを一緒に車両ＵＥグループにグループ化し得る。
【００８５】
[00100]ブロック９０６において、ｅＮＢ１０２、３１０、４６２は、車両ＵＥグループをリソースグループにマッピングし得る。たとえば、ｅＮＢ１０２、３１０、４６２は、車両ＵＥグループ（グループ０、グループ１、グループ２、グループ３）をリソースグループ（８０６、８０８）にマッピングし得る。一例では、車両ＵＥグループをマッピングすることは、静的に決定され得る。別の例では、ネットワークは、動的に、車両ＵＥグループをマッピングすることを構成し得る。図９に関して説明された例は、ｅＮＢを使用して説明された。車両ＵＥを含む他のデバイスが図９の方法を実装し得ることを理解されよう。たとえば、車両ＵＥは、図９の方法をまとめて実装し得る。他の例では、車両ＵＥなどの個々のデバイスが図９の方法を実装し得る。
【００８６】
[00101]図１０は、例示的な装置１００２中の異なる手段／構成要素間のデータフローを示す別の概念データフロー図１０００である。装置はｅＮＢであり得る。装置は、受信構成要素１００４と、区分構成要素１００６と、分割構成要素１００８と、マップ構成要素１０１０と、送信構成要素１０１２とを含む。
【００８７】
[00102]区分構成要素１００６は、時間周波数リソースを異なるリソースグループに区分する。リソースグループは時間領域において区分される。分割構成要素１００８は、ロケーションに基づいて、車両ＵＥを車両ＵＥグループに分割する。ロケーションは、受信構成要素１００４によって受信される送信１０２０上で（たとえば、車両１０５２における）車両ＵＥから受信され得る。受信構成要素１００４は、データ１０２２を区分構成要素１００６に受け渡し、区分構成要素１００６は、データ１０２４を分割構成要素１００８に受け渡し得る。（代替的に、分割構成要素１００８は、受信構成要素１００４に直接接続され得る。）一例では、近位車両ＵＥは同じグループのために選択され得る。一例では、近位車両ＵＥは、ＬＢＳを使用して同じリソースグループのためのリソースを選択する。
【００８８】
[00103]マップ構成要素１０１０は、車両ＵＥグループ１０２６をリソースグループにマッピングする。（たとえば、分割構成要素１００８からの、車両ＵＥグループ１０２６は、区分構成要素１００６からのデータ１０２４から受信され得るか、または分割構成要素１００８によって受信構成要素１００４から直接受信されるデータ１０２２から受信され得る。）マップ構成要素１０１０は、リソースグループへの受信された車両ＵＥグループ１０２６のマッピングを、グループ化の送信１０３０のために、送信する構成要素（transmit component）１０１２に出力１０２８し得る。一例では、車両ＵＥグループをマッピングすることは、静的に決定され得る。別の例では、ネットワークが、車両ＵＥグループをマッピングすることを動的に構成し得る。
【００８９】
[00104]本装置は、図９の上述のフローチャート中のアルゴリズムのブロックの各々を実行する追加の構成要素を含み得る。したがって、図９の上述のフローチャート中の各ブロックは、１つの構成要素によって実施され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９０】
[00105]図１１は、処理システム１１１４を採用する装置１００２’のためのハードウェア実装形態の一例を示す別の図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェア構成要素と、構成要素１００４、１００６、１００８、１０１０、１０１２と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明されない。
【００９１】
[00106]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４に与え、特に、受信構成要素は、装置１００２’が車両ＵＥグループをリソースグループにマッピングし得るように、車両ＵＥロケーション情報など、リソースに関する情報を受信し得る。さらに、トランシーバ１１１０は、処理システム１１１４から情報を受信し、特に、送信構成要素は、車両ＵＥグループにおける車両ＵＥのうちの１つ、または複数に情報を送信し得、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システム１１１４は、構成要素１００４、１００６、１００８、１０１０、１０１２のうちの少なくとも１つをさらに含む。それらの構成要素は、プロセッサ１１０４中で動作し、コンピュータ可読媒体／メモリ１１０６中に常駐する／記憶されたソフトウェア構成要素であるか、プロセッサ１１０４に結合された１つまたは複数のハードウェア構成要素であるか、またはそれらの何らかの組合せであり得る。処理システム１１１４は、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【００９２】
[00107]一構成では、ワイヤレス通信のための装置１００２／１００２’は、時間周波数リソースを異なるリソースグループに区分するための手段を含む。リソースグループは時間領域において区分される。したがって、時間周波数リソースを異なるリソースグループに区分するための手段は、時間周波数リソースの開始時間を決定し得る。さらに、時間周波数リソースを異なるリソースグループに区分するための手段は、時間周波数リソースの終了時間を決定し得る。したがって、時間周波数リソースは、異なる時間成分（time components）にスプリットされ得る。
【００９３】
[00108]ワイヤレス通信のための装置１００２／１００２’は、ロケーションに基づいて車両ＵＥを車両ＵＥグループに分割するための手段を含む。ロケーションに基づいて車両ＵＥを車両ＵＥグループに分割するための手段は、たとえば、ＧＰＳロケーションを使用して、１つまたは複数の車両のための車両ロケーションを決定し得る。ロケーションに基づいて車両ＵＥを車両ＵＥグループに分割するための手段は、互いに「近い」と見なされるロケーションを定義するかまたはＵＥグループのためのエリアを定義する、しきい値距離を有し得るかあるいは決定し得る。ロケーションに基づいて車両ＵＥを車両ＵＥグループに分割するための手段は、しきい値に基づいて互いに「近い」車両、またはＵＥグループを定義するエリア内にある車両をグループに追加し得る。
【００９４】
[00109]ワイヤレス通信のための装置１００２／１００２’は、車両ＵＥグループをリソースグループにマッピングするための手段を含む。たとえば、車両ＵＥグループをリソースグループにマッピングするための手段は、第１の車両ＵＥグループを選択し得る。さらに、車両ＵＥグループをリソースグループにマッピングするための手段は、第１のリソースグループを選択し得る。第１のＵＥ車両グループは第１のリソースグループを使用し得る。同様に、車両ＵＥグループをリソースグループにマッピングするための手段は、第２の車両ＵＥグループを選択し得る。さらに、車両ＵＥグループをリソースグループにマッピングするための手段は、第２のリソースグループを選択し得る。第２のＵＥ車両グループは第２のリソースグループを使用し得る。
【００９５】
[00110]上述の手段は、上述の手段によって具陳された機能を実行するように構成された、例示的な装置１００２、および／または装置１００２’の処理システム１１１４の上述の構成要素のうちの１つまたは複数であり得る。上記で説明されたように、処理システム１１１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成された、ＴＸプロセッサ３１６と、ＲＸプロセッサ３７０と、コントローラ／プロセッサ３７５とであり得る。
【００９６】
[00111]図１２は、例示的な装置１２０２中の異なる手段／構成要素間のデータフローを示す概念データフロー図１２００である。本装置はＵＥであり得る。本装置は、受信構成要素１２０４と、決定構成要素１２０６と、ランク構成要素１２０８と、選択構成要素１２１０と、重み構成要素１２１２と、送信構成要素１２１４とを含む。
【００９７】
[00112]受信構成要素１２０４は、（たとえば、（１つまたは複数の）車両１２５０における）少なくとも１つのＵＥから（送信１２２０における）少なくとも１つのＳＡを受信すること得る。決定構成要素１２０６は、送信１２２０からのＳＡに関係する情報１２２２を受信し、各受信された少なくとも１つのＳＡに関連するエネルギーを決定し得る。
【００９８】
[00113]ランク構成要素１２０８は、エネルギー決定１２２４を受信し、（送信１２２０からの）前記各受信された少なくとも１つのＳＡに関連する決定されたエネルギーに基づいて、データ送信時間周波数リソースをランク付けし得る。各受信された少なくとも１つのＳＡは、データ送信時間周波数リソースの異なるサブセットに関連する。
【００９９】
[00114]選択構成要素１２１０は、ランク付け１２２６を受信し、ランク付けされたデータ送信時間周波数リソースに基づいて、データ送信時間周波数リソースのセットを選択し得る。別の例では、重み構成要素１２１２は、ランク付け（ranking）１２２６を受信し、サブフレームに割り当てられるべきべき一連の重みを決定し得る。重み構成要素１２１２は、重み１２２８を選択構成要素１２１０に受け渡し得る。選択構成要素は、ランク付けされたデータ送信時間周波数リソースに基づいてデータ送信時間周波数リソースのセットを選択する際に、重み１２２８を使用し得る。（重みはランク付けすることに基づき得る。）
[00115]送信構成要素１２１４は、選択された時間周波数リソース１２３０を受信し、送信のために、選択された時間周波数リソースを使用し得る。たとえば、送信構成要素１２１４は、データ送信時間周波数リソースの選択されたセット上でデータ送信１２３２を送信し（または送り）得る。
【０１００】
[00116]さらに、一例では、受信構成要素１２０４は、異なる時間周波数リソースグループのＵＥに割り当てられた時間周波数リソースのグループを示す情報を（たとえば、送信１２２０上で）受信し得る。
【０１０１】
[00117]本装置は、図８の上述のフローチャート中のアルゴリズムのブロックの各々を実行する追加の構成要素を含み得る。したがって、図８の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０２】
[00118]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェア構成要素と、構成要素１２０４、（たとえば、１２０４内の、図示されていない１２０６、１２０８）、１２１０、１２１２、１２１４、１２１６、１２１８、１２２０と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明されない。
【０１０３】
[00119]処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４に与え、特に、受信構成要素は、信号を受信し、第２のＵＥからのＳＡ送信を含むチャネルを監視し、第２のＵＥからのＳＡ送信を復号し得る。さらに、トランシーバ１３１０は、処理システム１３１４から情報を受信し、特に、送信構成要素は、第１のＳＡ期間において複数のＳＡ期間にわたる複数のデータ送信のためのＳＡ送信を送信し得、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システム１３１４は、構成要素１２０４、１２０６、１２０８、１２１０、１２１２、１２１４、１２１６、１２１８、１２２０のうちの少なくとも１つをさらに含む。それらの構成要素は、プロセッサ１３０４中で動作し、コンピュータ可読媒体／メモリ１３０６中に常駐する／記憶されたソフトウェア構成要素であるか、プロセッサ１３０４に結合された１つまたは複数のハードウェア構成要素であるか、またはそれらの何らかの組合せであり得る。処理システム１３１４は、ＵＥ３５０の構成要素であり得、メモリ３６０、および／またはＴＸプロセッサ３６８と、ＲＸプロセッサ３５６と、コントローラ／プロセッサ３５９とのうちの少なくとも１つを含み得る。
【０１０４】
[00120]一構成では、ワイヤレス通信のための装置１２０２／１２０２’は、少なくとも１つのＵＥから少なくとも１つのＳＡを受信するための手段を含む。ワイヤレス通信のための装置１２０２／１２０２’はまた、各受信された少なくとも１つのＳＡに関連するエネルギーを決定するための手段を含む。さらに、ワイヤレス通信のための装置１２０２／１２０２’は、前記各受信された少なくとも１つのＳＡに関連する決定されたエネルギーに基づいて、データ送信時間周波数リソースをランク付けするための手段を含む。データ送信時間周波数リソースの異なるサブセットに関連する、各受信された少なくとも１つのＳＡ。さらに、ワイヤレス通信のための装置１２０２／１２０２’は、ランク付けされたデータ送信時間周波数リソースに基づいて、データ送信時間周波数リソースのセットを選択するための手段を含む。ワイヤレス通信のための装置１２０２／１２０２’はまた、データ送信時間周波数リソースの選択されたセット上でデータ送信を送るための手段を含む。
【０１０５】
[00121]一例では、ワイヤレス通信のための装置１２０２／１２０２’は、異なる時間周波数リソースグループのＵＥに割り当てられた時間周波数リソースのグループを示す情報を受信するための手段（たとえば、トランシーバ１３１０および／または受信構成要素１２０４）を含む。
【０１０６】
[00122]少なくとも１つのＵＥから少なくとも１つのＳＡを受信するための手段は、トランシーバ１３１０および／または受信構成要素１２０４を含み得る。各受信された少なくとも１つのＳＡに関連するエネルギーを決定するための手段は、各受信された少なくとも１つのＳＡに関連するエネルギーを測定し、測定値を他の構成要素への値として送信のために定量化し得る。
【０１０７】
[00123]データ送信時間周波数リソースをランク付けするための手段は、データ送信のための連続するＲＢの数ｘを決定し、ｘ個の連続するＲＢの異なるサブセットの各々について平均エネルギーを決定し、各サブフレームにおけるｘ個の連続するＲＢのサブセットのうちのｘ個の連続するＲＢのサブセットについて最低平均エネルギーを決定し、サブフレームのセットにおける各サブフレームを、サブフレームの決定された最低平均エネルギーに基づいてランク付けするように構成され得る。
【０１０８】
[00124]データ送信時間周波数リソースのセットを選択するための手段は、最も小さい最低平均エネルギーをもつサブフレームのセットのｎ個のサブフレームを決定し、決定されたｎ個のサブフレームからｋ個のサブフレームを選択するように構成され得る。ｋ個のサブフレームは、決定されたｎ個のサブフレームからランダムに選択される。データ送信時間周波数リソースのセットを選択するための手段は、ｘ個の連続するＲＢの異なるサブセットについての決定された平均エネルギーに基づいて、ｎ個のサブフレームにおけるサブフレームに重みを割り当て得る。ｋ個のサブフレームは、ｎ個のサブフレームの各サブフレームに割り当てられた重みに関連する確率に基づいて選択される。
【０１０９】
[00125]データ送信時間周波数リソースの選択されたセット上でデータ送信を送るための手段は、トランシーバ１３１０および／または送信構成要素１２１４を含み得る。
【０１１０】
[00126]一構成では、ワイヤレス通信のための装置１２０２／１２０２’は、第１のＳＡ期間において複数のＳＡ期間にわたる複数のデータ送信のためのＳＡ送信を送信するための手段（１２２０）を含む。ワイヤレス通信のための装置１２０２／１２０２’はまた、第２のＵＥからのＳＡ送信を含むチャネルを（たとえば、受信構成要素１２０４内で）監視するための手段を含む。さらに、ワイヤレス通信のための装置１２０２／１２０２’は、第２のＵＥからのＳＡ送信を（たとえば、受信構成要素１２０４内で）復号するための手段を含む。ワイヤレス通信のための装置１２０２／１２０２’はまた、第２のＵＥからのＳＡ送信から受信されたエネルギーに基づいて、第２のＵＥからのデータ送信のために受信されるだろうエネルギーを推定するための手段（１２０６）を含む。さらに、ワイヤレス通信のための装置１２０２／１２０２’は、推定受信エネルギーに基づいて時間周波数リソースをランク付けするための手段（１２１４）を含む。ワイヤレス通信のための装置１２０２／１２０２’はまた、ランク付けすることに基づいてデータ送信リソースを選択するための手段（１２１６）を含む。
【０１１１】
[00127]ワイヤレス通信のための装置１２０２／１２０２’は、ＵＥがサブフレームにおける、ある数の連続するＲＢ上で送信しようとするとき、上記数の連続するＲＢ上の最低平均推定受信エネルギーを決定するための手段（１２１０）をさらに含み得る。ワイヤレス通信のための装置１２０２／１２０２’はまた、この推定エネルギーに基づいてサブフレームをランク付けするための手段（１２１４）を含み得る。ワイヤレス通信のための装置１２０２／１２０２’は、ＵＥが、ｋ個のサブフレーム上で送信しようとするとき、上記数の連続するＲＢ上の最も小さい最低平均推定受信エネルギーをもつｎ個のサブフレームの中からｋ個のサブフレームをランダムに選択するための手段（１２１６）をさらに含み得、ｎは利用可能なサブフレームの総数よりも小さい。ワイヤレス通信のための装置１２０２／１２０２’は、上記数の連続するＲＢの推定受信エネルギーから導出された重みを割り当てるための手段（１２１８）をさらに含み得る。上記数の連続するＲＢが選択されることの確率は、上記数の連続するＲＢの推定受信エネルギーから導出された重みに基づき得る。
【０１１２】
[00128]上述の手段は、上述の手段によって具陳された機能を実行するように構成された、例示的な装置１２０２、および／または装置１２０２’の処理システム１３１４の上述の構成要素のうちの１つまたは複数であり得る。上記で説明されたように、処理システム１３１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【０１１３】
[00129]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１１４】
[00130]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2020162129.tif 000003
【図２Ａ】
2020162129.tif 000004
【図２Ｂ】
2020162129.tif 000005
【図２Ｃ】
2020162129.tif 000006
【図２Ｄ】
2020162129.tif 000007
【図３】
2020162129.tif 000008
【図４】
2020162129.tif 000009
【図５】
2020162129.tif 000010
【図６】
2020162129.tif 000011
【図７】
2020162129.tif 000012
【図８】
2020162129.tif 000013
【図９】
2020162129.tif 000014
【図１０】
2020162129.tif 000015
【図１１】
2020162129.tif 000016
【図１２】
2020162129.tif 000017
【図１３】
2020162129.tif 000018
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを備える、方法。
【請求項２】
前記車両ＵＥグループを前記マッピングすることが、静的に決定される、請求項１に記載の方法。
【請求項３】
前記車両ＵＥグループを前記マッピングすることが、ネットワークによって動的に構成された、請求項１に記載の方法。
【請求項４】
近位車両ＵＥが同じグループのために選択される、請求項１に記載の方法。
【請求項５】
近位車両ＵＥが、リッスンビフォアスケジュール（ＬＢＳ）を使用して同じリソースグループのためのリソースを選択する、請求項１に記載の方法。
【請求項６】
ワイヤレス通信のための装置であって、
時間周波数リソースを異なるリソースグループに区分するための手段と、前記リソースグループが前記時間領域において区分される、
車両ＵＥロケーションに基づいて、車両ＵＥを車両ＵＥグループに分割するための手段と、
前記車両ＵＥグループを前記リソースグループにマッピングするための手段とを備える、装置。
【請求項７】
前記車両ＵＥグループをマッピングするための前記手段が、マッピングを静的に決定するように構成された、請求項６に記載の装置。
【請求項８】
前記車両ＵＥグループをマッピングするための前記手段が、動的にマッピングするように構成された、請求項６に記載の装置。
【請求項９】
近位車両ＵＥが同じグループのために選択される、請求項６に記載の装置。
【請求項１０】
近位車両ＵＥが、リッスンビフォアスケジュール（ＬＢＳ）を使用して同じリソースグループのためのリソースを選択する、請求項６に記載の装置。
【請求項１１】
ワイヤレス通信の装置であって、
メモリと、
前記メモリに結合された少なくとも１つのプロセッサとを備え、前記少なくとも１つのプロセッサは、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うように構成された、装置。
【請求項１２】
前記少なくとも１つのプロセッサが、静的に、前記車両ＵＥグループを前記マッピングすることを決定する、請求項１１に記載の装置。
【請求項１３】
前記少なくとも１つのプロセッサが、動的に、前記車両ＵＥグループを前記マッピングすることを決定する、請求項１１に記載の装置。
【請求項１４】
前記少なくとも１つのプロセッサが、同じグループのために近位車両ＵＥを選択する、請求項１１に記載の装置。
【請求項１５】
前記少なくとも１つのプロセッサが、リッスンビフォアスケジュール（ＬＢＳ）を使用して同じリソースグループのための近位車両ＵＥリソースを選択する、請求項１１に記載の装置。
【請求項１６】
コンピュータ実行可能コードを記憶するコンピュータ可読媒体であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うためのコードを備える、コンピュータ可読媒体。
【手続補正２】
【補正対象書類名】明細書
【補正対象項目名】０１１４
【補正方法】変更
【補正の内容】
【０１１４】
[00130]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを備える、方法。
［Ｃ２］
前記データ送信時間周波数リソースに関連するサブフレームのセットが、前記各受信された少なくとも１つのＳＡに関連する前記決定されたエネルギーに基づいてランク付けされる、Ｃ１に記載の方法。
［Ｃ３］
前記データ送信時間周波数リソースを前記ランク付けすることが、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとを備える、Ｃ２に記載の方法。
［Ｃ４］
データ送信時間周波数リソースの前記セットを前記選択することが、
最も小さい最低平均エネルギーをもつサブフレームの前記セットのｎ個のサブフレームを決定することと、
前記決定されたｎ個のサブフレームからｋ個のサブフレームを選択することとを備える、Ｃ３に記載の方法。
［Ｃ５］
前記ｋ個のサブフレームが、前記決定されたｎ個のサブフレームからランダムに選択される、Ｃ４に記載の方法。
［Ｃ６］
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、Ｃ４に記載の方法。
［Ｃ７］
前記データ送信時間周波数リソースが、時間によって、複数の異なる時間周波数リソースグループに区分される、Ｃ１に記載の方法。
［Ｃ８］
前記異なる時間周波数リソースグループの前記ＵＥに割り当てられた時間周波数リソースのグループを示す情報を受信することをさらに備える、Ｃ７に記載の方法。
［Ｃ９］
前記ランク付けすることと前記選択することとに関連するデータ送信時間周波数リソースの前記セットが、時間周波数リソースの前記割り当てられたグループ内にある、Ｃ８に記載の方法。
［Ｃ１０］
前記エネルギーを前記決定することと、前記データ送信時間周波数リソースを前記ランク付けすることと、前記ランク付けされたデータ送信時間周波数リソースに基づいて前記選択することとは、前記ＵＥが送るべき周期メッセージを有するときに行われ、ここにおいて、前記ＵＥは、前記ＵＥが送るべき周期メッセージを有しないとき、前記データ送信時間周波数リソースをランダムに選択する、Ｃ１に記載の方法。
［Ｃ１１］
ワイヤレス通信の方法であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを備える、方法。
［Ｃ１２］
前記車両ＵＥグループを前記マッピングすることが、静的に決定される、Ｃ１１に記載の方法。
［Ｃ１３］
前記車両ＵＥグループを前記マッピングすることが、ネットワークによって動的に構成された、Ｃ１１に記載の方法。
［Ｃ１４］
近位車両ＵＥが同じグループのために選択される、Ｃ１１に記載の方法。
［Ｃ１５］
近位車両ＵＥが、リッスンビフォアスケジュール（ＬＢＳ）を使用して同じリソースグループのためのリソースを選択する、Ｃ１１に記載の方法。
［Ｃ１６］
ワイヤレス通信のための装置であって、
少なくとも１つのＵＥから少なくとも１つのスケジューリング割当て（ＳＡ）を受信するための手段と、
各受信された少なくとも１つのＳＡに関連するエネルギーを決定するための手段と、
前記各受信された少なくとも１つのＳＡに関連する前記決定されたエネルギーに基づいて、データ送信時間周波数リソースをランク付けするための手段と、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択するための手段と、
データ送信時間周波数リソースの前記選択されたセット上でデータ送信を送るための手段とを備える、装置。
［Ｃ１７］
前記データ送信時間周波数リソースに関連するサブフレームのセットが、前記各受信された少なくとも１つのＳＡに関連する前記決定されたエネルギーに基づいてランク付けされる、Ｃ１６に記載の装置。
［Ｃ１８］
前記データ送信時間周波数リソースをランク付けするための前記手段が、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとを行うように構成された、Ｃ１７に記載の装置。
［Ｃ１９］
データ送信時間周波数リソースの前記セットを選択するための前記手段が、
最も小さい最低平均エネルギーをもつサブフレームの前記セットのｎ個のサブフレームを決定することと、
前記決定されたｎ個のサブフレームからｋ個のサブフレームを選択することとを行うように構成された、Ｃ１８に記載の装置。
［Ｃ２０］
前記ｋ個のサブフレームが、前記決定されたｎ個のサブフレームからランダムに選択される、Ｃ１９に記載の装置。
［Ｃ２１］
データ送信時間周波数リソースの前記セットを選択するための前記手段が、ｘ個の連続するＲＢの前記異なるサブセットについての前記決定された平均エネルギーに基づいて、前記ｎ個のサブフレームにおけるサブフレームに重みを割り当てるように構成され、ここにおいて、前記ｋ個のサブフレームが、前記ｎ個のサブフレームの各サブフレームに割り当てられた前記重みに関連する確率に基づいて選択される、Ｃ１９に記載の装置。
［Ｃ２２］
前記データ送信時間周波数リソースが、時間によって、複数の異なる時間周波数リソースグループに区分される、Ｃ１６に記載の装置。
［Ｃ２３］
前記異なる時間周波数リソースグループの前記ＵＥに割り当てられた時間周波数リソースのグループを示す情報を受信するための手段をさらに備える、Ｃ２３に記載の装置。
［Ｃ２４］
前記ランク付けすることと前記選択することとに関連するデータ送信時間周波数リソースの前記セットが、時間周波数リソースの前記割り当てられたグループ内にある、Ｃ２３に記載の装置。
［Ｃ２５］
前記エネルギーを決定するための前記手段と、前記データ送信時間周波数リソースをランク付けするための前記手段と、前記ランク付けされたデータ送信時間周波数リソースに基づいて選択するための前記手段とは、前記ＵＥが送るべき周期メッセージを有するときに機能し、ここにおいて、前記ＵＥは、前記ＵＥが送るべき周期メッセージを有しないとき、前記データ送信時間周波数リソースをランダムに選択する、Ｃ１６に記載の装置。
［Ｃ２６］
ワイヤレス通信のための装置であって、
時間周波数リソースを異なるリソースグループに区分するための手段と、前記リソースグループが前記時間領域において区分される、
車両ＵＥロケーションに基づいて、車両ＵＥを車両ＵＥグループに分割するための手段と、
前記車両ＵＥグループを前記リソースグループにマッピングするための手段とを備える、装置。
［Ｃ２７］
前記車両ＵＥグループをマッピングするための前記手段が、マッピングを静的に決定するように構成された、Ｃ２６に記載の装置。
［Ｃ２８］
前記車両ＵＥグループをマッピングするための前記手段が、動的にマッピングするように構成された、Ｃ２６に記載の装置。
［Ｃ２９］
近位車両ＵＥが同じグループのために選択される、Ｃ２６に記載の装置。
［Ｃ３０］
近位車両ＵＥが、リッスンビフォアスケジュール（ＬＢＳ）を使用して同じリソースグループのためのリソースを選択する、Ｃ２６に記載の装置。
［Ｃ３１］
ワイヤレス通信のための装置であって、
メモリと、
前記メモリに結合された少なくとも１つのプロセッサとを備え、前記少なくとも１つのプロセッサは、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを行うように構成された、装置。
［Ｃ３２］
前記データ送信時間周波数リソースに関連するサブフレームのセットが、前記各受信された少なくとも１つのＳＡに関連する前記決定されたエネルギーに基づいてランク付けされる、Ｃ３１に記載の装置。
［Ｃ３３］
前記少なくとも１つのプロセッサが、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることとによって、前記データ送信時間周波数リソースをランク付けするように構成された、Ｃ３２に記載の装置。
［Ｃ３４］
前記少なくとも１つのプロセッサが、
最も小さい最低平均エネルギーをもつサブフレームの前記セットのｎ個のサブフレームを決定することと、
前記決定されたｎ個のサブフレームからｋ個のサブフレームを選択することとによって、データ送信時間周波数リソースの前記セットを選択するように構成された、Ｃ３３に記載の装置。
［Ｃ３５］
前記ｋ個のサブフレームが、前記決定されたｎ個のサブフレームからランダムに選択される、Ｃ３４に記載の装置。
［Ｃ３６］
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、Ｃ３４に記載の装置。
［Ｃ３７］
前記データ送信時間周波数リソースが、時間によって、複数の異なる時間周波数リソースグループに区分される、Ｃ３１に記載の装置。
［Ｃ３８］
前記少なくとも１つのプロセッサが、前記異なる時間周波数リソースグループの前記ＵＥに割り当てられた時間周波数リソースのグループを示す情報を受信するようにさらに構成された、Ｃ３７に記載の装置。
［Ｃ３９］
前記ランク付けすることと前記選択することとに関連するデータ送信時間周波数リソースの前記セットが、時間周波数リソースの前記割り当てられたグループ内にある、Ｃ３８に記載の装置。
［Ｃ４０］
前記少なくとも１つのプロセッサは、前記ＵＥが送るべき周期メッセージを有するとき、前記エネルギーを決定することと、前記データ送信時間周波数リソースをランク付けすることと、前記ランク付けされたデータ送信時間周波数リソースに基づいて選択することとを行うように構成され、ここにおいて、前記少なくとも１つのプロセッサは、前記装置が送るべき周期メッセージを有しないとき、前記データ送信時間周波数リソースをランダムに選択する、Ｃ３１に記載の装置。
［Ｃ４１］
ワイヤレス通信の装置であって、
メモリと、
前記メモリに結合された少なくとも１つのプロセッサとを備え、前記少なくとも１つのプロセッサは、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うように構成された、装置。
［Ｃ４２］
前記少なくとも１つのプロセッサが、静的に、前記車両ＵＥグループを前記マッピングすることを決定する、Ｃ４１に記載の装置。
［Ｃ４３］
前記少なくとも１つのプロセッサが、動的に、前記車両ＵＥグループを前記マッピングすることを決定する、Ｃ４１に記載の装置。
［Ｃ４４］
前記少なくとも１つのプロセッサが、同じグループのために近位車両ＵＥを選択する、Ｃ４１に記載の装置。
［Ｃ４５］
前記少なくとも１つのプロセッサが、リッスンビフォアスケジュール（ＬＢＳ）を使用して同じリソースグループのための近位車両ＵＥリソースを選択する、Ｃ４１に記載の装置。
［Ｃ４６］
コンピュータ実行可能コードを記憶するコンピュータ可読媒体であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることとを行うためのコードを備える、コンピュータ可読媒体。
［Ｃ４７］
コンピュータ実行可能コードを記憶するコンピュータ可読媒体であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることとを行うためのコードを備える、コンピュータ可読媒体。
【外国語明細書】
2020162129000001.pdf